(57)【要約】  圧縮機１１、室外熱交換器１３、冷媒流量制御装置２２及び中間熱交換器２１が順次接続される熱源側冷媒回路Ａと、中間熱交換器２１の熱源側冷媒回路Ａとの間で熱交換を行う利用側冷媒回路Ｂの一端に接続されたポンプ２３、及び、一端がポンプ２３に接続され、他端が中間熱交換器２１の利用側冷媒回路Ｂの他端に接続された複数の室内熱交換器３１ｎを有する利用側冷媒回路Ｂと、を備え、圧縮機１１及び室外熱交換器１３は室外ユニット１０に設けられ、冷媒流量制御装置２２、中間熱交換器２１及びポンプ２３は中継部２０に設けられ、室内熱交換器３１ｎは室内ユニット３０ｎに設けられ、利用側冷媒回路Ｂには、利用側冷媒として水及び不凍液の少なくとも一方が循環する。
2009133643.tif 000002
【特許請求の範囲】
【請求項１】
圧縮機、室外熱交換器、冷媒流量制御装置及び中間熱交換器が順次接続される熱源側冷媒回路と、
前記中間熱交換器の前記熱源側冷媒回路との間で熱交換を行う利用側回路の一端に接続された循環装置、及び、一端が前記循環装置に接続され、他端が前記中間熱交換器の前記利用側回路の他端に接続された複数の室内熱交換器を有する利用側冷媒回路と、
を備え、
前記圧縮機及び前記室外熱交換器は室外ユニットに設けられ、
前記冷媒流量制御装置、前記中間熱交換器及び前記循環装置は中継部に設けられ、
前記室内熱交換器は室内ユニットに設けられ、
前記利用側冷媒回路には、利用側冷媒として水及び不凍液の少なくとも一方が循環することを特徴とする空気調和装置。
【請求項２】
前記室外ユニットには、
前記圧縮機の吐出側に設けられ、前記熱源側冷媒回路を、前記圧縮機が吐出する熱源側冷媒が前記中間熱交換器に流入し前記室外熱交換器から流出する回路と、前記圧縮機が吐出する熱源側冷媒が前記室外熱交換器に流入し前記中間熱交換器から流出する回路とに切り替える第２冷媒流路切替装置が設けられていることを特徴とする請求項１に記載の空気調和装置。
【請求項３】
前記利用側冷媒回路には、
前記室内熱交換器に流れる前記利用側冷媒の流量を前記室内熱交換器ごとに制御する室内ユニット冷媒流量制御装置が設けられていることを特徴とする請求項１又は請求項２に記載の空気調和装置。
【請求項４】
前記室内ユニット冷媒流量制御装置は、
前記室内熱交換器に流入する前記利用側冷媒の温度、及び前記室内熱交換器から流出する前記利用側冷媒の温度に基づいて、前記室内熱交換器に流れる前記利用側冷媒の流量を制御することを特徴とする請求項３に記載の空気調和装置。
【請求項５】
前記室内ユニット冷媒流量制御装置は、前記中継部に設けられていることを特徴とする請求項３又は請求項４に記載の空気調和装置。
【請求項６】
前記利用側冷媒回路には、
前記中間熱交換器に流れる前記利用側冷媒の流量を制御する中間熱交換器冷媒流量制御装置が設けられていることを特徴とする請求項１に記載の空気調和装置。
【請求項７】
前記中間熱交換器冷媒流量制御装置は、
前記中間熱交換器に流入する前記利用側冷媒の温度、及び前記中間熱交換器から流出する前記利用側冷媒の温度に基づいて、前記中間熱交換器に流れる前記利用側冷媒の流量を制御することを特徴とする請求項６に記載の空気調和装置。
【請求項８】
前記中継部と前記室内ユニットとは、
前記循環装置と前記室内熱交換器とを接続する配管、及び前記室内熱交換器と前記中間熱交換器とを接続する連結装置によって分離可能となっていることを特徴とする請求項１に記載の空気調和装置。
【請求項９】
前記熱源側冷媒回路を循環する熱源側冷媒は、自然冷媒又は地球温暖化係数がフロン冷媒よりも小さい冷媒であることを特徴とする請求項１に記載の空気調和装置。
【請求項１０】
前記中間熱交換器において、
前記熱源側冷媒回路を循環する熱源側冷媒は、超臨界状態で凝縮することなく、前記第２冷媒を加熱することを特徴とする請求項１に記載の空気調和装置。
【請求項１１】
前記室内ユニットはビルの各階に設けられた室内に設置され、前記室外ユニット及び前記中継部は室外に設置されることを特徴とする請求項１に記載の空気調和装置。
【請求項１２】
前記中継部は、前記ビルの各階に設けられた共用空間に設置されることを特徴とする請求項１１に記載の空気調和装置。
【発明の詳細な説明】
【技術分野】
【０００１】
本発明は空気調和装置に関し、特に、複数台の室内ユニットを備えた多室形空気調和装置に関する。
【背景技術】
【０００２】
複数台の室内ユニットを備えた従来の多室形空気調和装置としては、例えば「空気調和装置（１）は、１次側冷媒回路（２）と、複数の２次側冷媒回路（３）とを備えている。
上記１次側冷媒回路（２）は、室外ユニット（４）と、複数の熱交換ユニット（５）とに亘って構成されている。上記各２次側冷媒回路（３）は、各熱交換ユニット（５）と、１台の室内ユニット（６）とに亘って構成されている。そして、上記各熱交換ユニット（５）は、各熱交換ユニット（５）が接続される室内ユニット（６）の近傍に設置されている。上記１次側冷媒回路（２）は、室外圧縮機（７）、室外四路切換弁（８）、室外熱交換器（９）、室外膨張弁（１０）及び冷媒熱交換器（１１）を順に配管接続して構成されている。上記１次側冷媒回路（２）には、１次冷媒が充填されている。上記１次側冷媒回路（２）の室外圧縮機（７）と室外四路切換弁（８）と室外熱交換器（９）と室外膨張弁（１０）によって上記室外ユニット（４）が構成されている。上記２次側冷媒回路（３）は、主回路（１２）と、該主回路（１２）に接続された熱駆動回路（１３）とを備えている。上記２次側冷媒回路（３）には、２次冷媒が充填され、該２次冷媒が循環して冷熱又は温熱の搬送が行われる。その際、熱駆動回路（１３）を流通する２次冷媒に循環駆動力が付与され、主回路（１２）において２次冷媒が相変化しつつ循環する。上記２次側冷媒回路（３）の主回路（１２）は、循環回路を構成している。この主回路（１２）は、室内四路切換弁（１４）と、室内膨張弁（１５）と、室内熱交換器（１６）と、冷媒熱交換器（１１）とを順に配管接続して構成されている。上記室内熱交換器（１６）は、いわゆるクロスフィン型の熱交換器により構成され、２次冷媒と室内空気とを熱交換させる。上記２次側冷媒回路（３）の室内膨張弁（１５）と、室内熱交換器（１６）とによって上記室内ユニット（６）が構成されている。また、上記冷媒熱交換器（１１）と２次側冷媒回路（３）の熱駆動回路（１３）及び室内四路切換弁（１４）とによって熱交換ユニット（５）が構成されている。」（例えば特許文献１参照）というものが提案されている。【０００３】
【特許文献１】特開２００１−２８９４６５号公報（段落００４８，００４９，００５１〜００５３、図１，２）
【発明の開示】
【発明が解決しようとする課題】
【０００４】
冷媒の毒性等の人体へ与える影響や可燃性を考慮して、室内等の空間中に漏洩する冷媒の許容濃度が国際規格で決められている。例えば、フロン冷媒の一つであるＲ４１０Ａは０．４４ｋｇ／ｍ3 、ＣＯ2 は０．０７ｋｇ／ｍ3 、プロパンは０．００８ｋｇ／ｍ3 と、室内中に漏洩する冷媒の許容濃度が決められている。【０００５】
特許文献１に記載の従来の多室形空気調和装置では、室内等の空間中に冷媒が漏洩した場合、２次側冷媒回路中の全ての冷媒がこの空間中に漏洩してしまう。２次側冷媒回路に使用する冷媒は上記許容濃度が規制された冷媒であるため、室内等の空間中に冷媒が漏洩した場合、この空間中の冷媒濃度が上記許容濃度を上回ってしまうかもしれないという問題点があった。【０００６】
本発明は上述のような課題を解消するためになされたものであり、上記許容濃度が規制された冷媒が室内等の空間へ漏洩することを防止できる多室形の空気調和装置を得ることを目的とする。
【課題を解決するための手段】
【０００７】
本発明に係る空気調和装置は、圧縮機、室外熱交換器、冷媒流量制御装置及び中間熱交換器が順次接続される熱源側冷媒回路と、前記中間熱交換器の前記熱源側冷媒回路との間で熱交換を行う利用側回路の一端に接続された循環装置、及び、一端が前記循環装置に接続され、他端が前記中間熱交換器の前記利用側回路の他端に接続された複数の室内熱交換器を有する利用側冷媒回路と、を備え、前記圧縮機及び前記室外熱交換器は室外ユニットに設けられ、前記冷媒流量制御装置、前記中間熱交換器及び前記循環装置は中継部に設けられ、前記室内熱交換器は室内ユニットに設けられ、前記利用側冷媒回路には、利用側冷媒として水及び不凍液の少なくとも一方が循環するものである。
【発明の効果】
【０００８】
本発明においては、利用側冷媒回路には、水及び不凍液の少なくとも一方が循環する。このため、例えば人間の存在する空間（居住空間や、人間が往来する空間等）に設置された利用側冷媒回路に水及び不凍液の少なくとも一方を循環させることによって、上記許容濃度が規制された冷媒が人間の存在する空間に漏洩することを防止できる。
【図面の簡単な説明】
【０００９】
【図１】本発明の実施の形態１における空気調和装置の冷媒回路図である。
【図２】本発明の実施の形態１における空気調和装置の冷房運転モードの冷媒流れを表す冷媒回路図である。
【図３】図２における熱源側冷媒の変遷を表すｐ−ｈ線図である。
【図４】本発明の実施の形態１における空気調和装置の暖房運転モードの冷媒流れを表す冷媒回路図である。
【図５】図４における熱源側冷媒の変遷を表すｐ−ｈ線図である。
【図６】本発明の実施の形態２における空気調和装置の冷媒回路図である。
【図７】本発明の実施の形態３における空気調和装置の設置概略図である。
【符号の説明】
【００１０】
１  空気調和装置、１０  室外ユニット、１１  圧縮機、１２  四方弁、１３  室外熱交換器、２０  中継部、２１  中間熱交換器、２２  冷媒流量制御装置、２３  ポンプ、２４  第１配管分岐部、２５  第２配管分岐部、３０ｎ  室内ユニット、３１ｎ  室内熱交換器、４１  第１延長配管、４２  第２延長配管、４３ｎ  第３延長配管、４４ｎ  第４延長配管、５０  第１水流量制御部、５１  中間熱交換器流入水温度センサ、５２  中間熱交換器流出水温度センサ、５３  インバータ、６０ｎ  第２水流量制御部、６１ｎ  室内熱交換器流入水温度センサ、６２ｎ  室内熱交換器流出水温度センサ、６３ｎ  水流量制御弁、１００  ビル、１１１〜１１３  居住空間、１２１〜１２３  共用空間、１３０  配管設置空間、Ａ  熱源側冷媒回路、Ｂ  利用側冷媒回路。
【発明を実施するための最良の形態】
【００１１】
実施の形態１．
図１は、本発明の実施の形態１における空気調和装置の冷媒回路図である。
空気調和装置１は、室外の空気と熱交換を行う室外熱交換器１３等を有する熱源側冷媒回路Ａと、室外の空気と熱交換を行う室内熱交換器３１ｎ（以下、ｎは１以上の自然数であり、室内熱交換器の台数を示す）等を有する利用側冷媒回路Ｂとを備えている。熱源側冷媒回路Ａを循環する熱源側冷媒と利用側冷媒回路Ｂを循環する利用側冷媒とは、中間熱交換器２１で互いに熱交換を行う。そして、熱源側冷媒回路Ａ及び利用側冷媒回路Ｂの各構成要素は、室外ユニット１０、中継部２０、及び室内ユニット３０ｎに設けられている。本実施の形態１では、利用側冷媒として水を使用する。【００１２】
なお、本実施の形態１では室内ユニット３０ｎは４台（ｎ＝４）となっているが、２台でもよいし、３台以上でもよい。また、中継部２０も１台に限らず、複数台でもよい。つまり、複数台の中継部のそれぞれに複数台の室内ユニットが設けられた構成でも、本発明は実施可能である。また、室外ユニット１０も、出力負荷に応じて複数台設けることも可能である。【００１３】
熱源側冷媒回路Ａは、圧縮機１１、四方弁１２、中間熱交換器２１、冷媒流量制御装置２２及び室外熱交換器１３が順次配管接続されて構成されている。【００１４】
利用側冷媒回路Ｂは、中間熱交換器２１、ポンプ２３、第１配管分岐部２４、第２配管分岐部２５及び室内熱交換器３１１〜３１４等から構成されている。ここでポンプ２３が、本発明の循環装置に相当する。
中間熱交換器２１はポンプ２３と接続されている。ポンプ２３は第１配管分岐部２４及び第３延長配管４３１〜４３４を介して室内熱交換器３１１〜３１４のそれぞれの一方と接続されている。そして、室内熱交換器３１１〜３１４のそれぞれの他方は、第４延長配管４４１〜４４４及び第２配管分岐部２５を介して中間熱交換器２１と接続されている。【００１５】
室外ユニット１０には、熱源側冷媒回路Ａの構成要素である圧縮機１１、四方弁１２、及び室外熱交換器１３等が設けられている。中継部２０には、熱源側冷媒回路Ａの構成要素である中間熱交換器２１及び冷媒流量制御装置２２等が設けられている。また、中継部２０には、利用側冷媒回路Ｂの構成要素であるポンプ２３、第１配管分岐部２４及び第２配管分岐部２５等が設けられている。室内ユニット３０１〜３０４には、利用側冷媒回路Ｂの構成要素である室内熱交換器３１１〜３１４等が設けられている。【００１６】
なお、本実施の形態１では、冷媒流量制御装置２２は中継部２０に設けられているが、冷媒流量制御装置２２を室外ユニット１０に設けてもよい。冷媒流量制御装置２２を室外ユニット１０に設けることにより、利用側冷媒回路Ｂの制御系を室外ユニット１０に集約することができる。【００１７】
室外ユニット１０と中継部２０とを分離可能とするため、四方弁１２と中間熱交換器２１との間には、例えば継ぎ手やバルブ等の連結装置によって分離可能な第１延長配管４１が設けられている。冷媒流量制御装置２２と室外熱交換器１３との間には、例えば継ぎ手やバルブ等の連結装置によって分離可能な第２延長配管４２が設けられている。また、中継部２０と室内ユニット３０１〜３０４とを分離可能とするため、第１配管分岐部２４と室内熱交換器３１１〜３１４との間には、例えば継ぎ手やバルブ等の連結装置によって分離可能な第３延長配管４３１〜４３４が設けられている。室内熱交換器３１１〜３１４と第２配管分岐部２５との間には、例えば継ぎ手やバルブ等の連結装置によって分離可能な第４延長配管４４１〜４４４が設けられている。【００１８】
（運転動作）
次に、本実施の形態１における空気調和装置１の運転動作について説明する。空気調和装置１の運転動作には、冷房運転モード及び暖房運転モードの２つのモードがある。
冷房運転モードとは、室内ユニット３０ｎは冷房が可能な運転モードである。暖房運転モードとは、室内ユニット３０ｎは暖房が可能な運転モードである。【００１９】
（冷房運転モード）
まず、冷房運転モードについて説明する。
図２は、本発明の実施の形態１における空気調和装置の冷房運転モードの冷媒流れを表す冷媒回路図である。また、図３は、この冷房運転モードでの熱源側冷媒の変遷を表すｐ−ｈ線図である。
なお、図２では、太線で表された配管が冷媒の循環する配管を示す。そして、熱源側冷媒の流れ方向を実線の矢印で、利用側冷媒である水の流れ方向を破線の矢印で示す。また、図３に示すａ〜ｄの冷媒状態は、それぞれ図２にａ〜ｄで示す箇所での冷媒状態である。【００２０】
室内ユニット３０１〜３０４の全てが冷房運転を行う場合、四方弁１２は、圧縮機１１から吐出された熱源側冷媒が室外熱交換器１３へ流れるように切り替わる。すなわち、中継部２０の中間熱交換器２１から出た熱源側冷媒が圧縮機１１に流入するように切り替わる。冷媒流量制御装置２２は開度を絞る。この状態で、圧縮機１１とポンプ２３の運転を開始する。【００２１】
始めに、熱源側冷媒回路Ａの冷媒流れについて説明する。低温低圧の蒸気状冷媒が圧縮機１１より圧縮され、高温高圧の冷媒となって吐出される。この圧縮機１１の冷媒圧縮過程は、周囲との熱の出入はないものとすると、図３の点ａからｂに示す等エントロピ線で表される。圧縮機１１から吐出された高温高圧の冷媒は、四方弁１２を通り、室外熱交換器１３に流入する。そして、室外熱交換器１３で室外空気に放熱しながら凝縮液化し、高圧液状冷媒となる。室外熱交換器１３での冷媒の変化は、ほぼ圧力一定のもとで行われる。このときの冷媒変化は、室外熱交換器１３の圧力損失を考慮すると、図３の点ｂからｃに示すやや傾いた水平に近い直線で表される。【００２２】
室外熱交換器１３から出た高圧の液状冷媒は、第２延長配管４２を通り、冷媒流量制御装置２２に流入する。そして、高圧の液状冷媒は冷媒流量制御装置２２で絞られて膨張（減圧）し、低温低圧の気液二相状態になる。冷媒流量制御装置２２での冷媒の変化は、エンタルピ一定のもとで行われる。このときの冷媒変化は、図３の点ｃからｄに示す垂直線で表される。【００２３】
冷媒流量制御装置２２を出た低温低圧で気液二相状態の冷媒は、中間熱交換器２１に流入する。そして、中間熱交換器２１を流れる水から吸熱して、低温低圧の蒸気状冷媒となる。中間熱交換器２１での熱源側冷媒の変化は、ほぼ圧力一定のもとで行われる。このときの冷媒変化は、中間熱交換器２１の圧力損失を考慮すると、図３の点ｄからａに示すやや傾いた水平に近い直線で表される。中間熱交換器２１を出た低温低圧の蒸気状冷媒は、第１延長配管４１及び四方弁１２を通って圧縮機１１に流入し、圧縮される。【００２４】
なお、圧縮機１１に流入する低温低圧の蒸気状冷媒は、配管を通るので、中間熱交換器２１を出た直後の低温低圧の蒸気状冷媒に比べて若干圧力が低下するが、図３では同じ点ａで表している。同様に、冷媒流量制御装置２２に流入する高圧の液状冷媒は、配管を通るので、室外熱交換器１３から出た高圧の液状冷媒に比べて若干圧力が低下するが、図３では同じ点ｃで表している。このような配管通過に起因する冷媒の圧力低下や、上述の室外熱交換器１３及び中間熱交換器２１での圧力損失は、以下に示す暖房運転モードについても同様であるので、必要な場合を除いて説明を省略する。【００２５】
続いて、利用側冷媒回路Ｂの冷媒流れについて説明する。
中間熱交換器２１を流れる熱源側冷媒によって冷却された水は、ポンプ２３を通って、第１配管分岐部２４に流入する。第１配管分岐部２４に流入した水は、第１配管分岐部２４で分岐され、第３延長配管４３１〜４３４を通って室内熱交換器３１１〜３１４に流入する。そして、室内熱交換器３１１〜３１４において室内空気から吸熱し、室内ユニット３０１〜３０４（室内熱交換器３１１〜３１４）が設けられた室内の冷房を行う。室内熱交換器３１１〜３１４を出た水は、第４延長配管４４１〜４４４を通って第２配管分岐部２５に流入する。そして、第２配管分岐部２５で合流した水は、中間熱交換器２１に流入する。【００２６】
（暖房運転モード）
次に、暖房運転モードについて説明する。
図４は、本発明の実施の形態１における空気調和装置の暖房運転モードの冷媒流れを表す冷媒回路図である。また、図５は、この暖房運転モードでの熱源側冷媒の変遷を表すｐ−ｈ線図である。
なお、図４では、太線で表された配管が冷媒の循環する配管を示す。そして、熱源側冷媒の流れ方向を実線の矢印で、利用側冷媒である水の流れ方向を破線の矢印で示す。また、図５に示すａ〜ｄの冷媒状態は、それぞれ図４にａ〜ｄで示す箇所での冷媒状態である。【００２７】
室内ユニット３０１〜３０４の全てが暖房運転を行う場合、四方弁１２は、圧縮機１１から吐出された熱源側冷媒が、第１延長配管４１を通って中継部２０の中間熱交換器２１に流入するように切り替わる。すなわち、室外熱交換器１３から出た熱源側冷媒が圧縮機１１に流入するように切り替わる。冷媒流量制御装置２２は開度を絞る。この状態で、圧縮機１１とポンプ２３の運転を開始する。【００２８】
始めに、熱源側冷媒回路Ａの冷媒流れについて説明する。低温低圧の蒸気状冷媒が圧縮機１１より圧縮され、高温高圧の冷媒となって吐出される。この圧縮機１１の冷媒圧縮過程は、図５の点ａからｂに示す等エントロピ線で表される。圧縮機１１から吐出された高温高圧の冷媒は、四方弁１２及び第１延長配管４１を通り、中間熱交換器２１に流入する。そして、中間熱交換器２１を流れる水に放熱しながら凝縮液化し、高圧の液状冷媒となる。このときの冷媒変化は、図５の点ｂからｃに示すやや傾いた水平に近い直線で表される。【００２９】
中間熱交換器２１を出た高圧の液状冷媒は、冷媒流量制御装置２２に流入する。そして、高圧の液状冷媒は冷媒流量制御装置２２で絞られて膨張（減圧）し、低温低圧の気液二相状態になる。このときの冷媒変化は、図５の点ｃからｄに示す垂直線で表される。冷媒流量制御装置２２を出た低温低圧で気液二相状態の冷媒は、第２延長配管４２を通って室外熱交換器１３に流入する。そして、室外熱交換器１３で室外空気から吸熱して、低温低圧の蒸気状冷媒となる。このときの冷媒変化は、図５の点ｄからａに示すやや傾いた水平に近い直線で表される。室外熱交換器１３を出た低温低圧の蒸気状冷媒は、四方弁１２を通って圧縮機１１に流入し、圧縮されて高温高圧の冷媒となる。【００３０】
中間熱交換器２１を流れる熱源側冷媒によって加熱された水は、ポンプ２３を通って、第１配管分岐部２４に流入する。第１配管分岐部２４に流入した水は、第１配管分岐部２４で分岐され、第３延長配管４３１〜４３４を通って室内熱交換器３１１〜３１４に流入する。そして、室内熱交換器３１１〜３１４において室内空気に放熱し、室内ユニット３０１〜３０４（室内熱交換器３１１〜３１４）が設けられた室内の暖房を行う。室内熱交換器３１１〜３１４を出た水は、第４延長配管４４１〜４４４を通って第２配管分岐部２５に流入する。そして、第２配管分岐部２５で合流した水は、中間熱交換器２１に流入する。【００３１】
このように構成された空気調和装置１は、室外ユニット１０は例えばビルの屋上や地下等に設置され、中継部２０は例えばビルの各階に設けられた共用空間等に設置される。つまり、室外ユニット１０及び中継部２０は人間の存在する空間（居住空間や、人間が往来する空間等）以外の場所に設置される。人間の存在する空間には、水が循環している利用側冷媒回路Ｂ及び室内ユニット３０１〜３０４が設置される。したがって、空間中に漏洩する冷媒の許容濃度が規制された冷媒が人間の存在する空間に漏洩することを防止できる。【００３２】
また、１つの中継部２０に室内ユニット３０１〜３０４が接続されている。つまり、各室内ユニット３０１〜３０４の中継部を集約しているので、ポンプ２３等のメンテナンス等が容易となる。また、利用側冷媒には水が用いられ、空間中に漏洩する冷媒の許容濃度が規制された冷媒が流れていないので、中継部２０を室内ユニット３０１〜３０４の近傍に設置する必要がなく、任意の場所に設置することができる。【００３３】
また、中継部２０と室内ユニット３０１〜３０４は分離可能な構造となっているので、従来から水冷媒を用いていた設備に換えて空気調和装置１を設置する際、室内ユニット３０１〜３０４、第３延長配管４３１〜４３３及び第４延長配管４４１〜４４３を再利用することができる。【００３４】
また、中間熱交換器２１を流れる熱源側冷媒と水は対向流となっているので、中間熱交換器２１の熱交換性能が向上する。【００３５】
なお、本実施の形態１では熱源側冷媒の冷媒種類について特定していないが、熱源側冷媒は限定されず、種々の冷媒が使用可能である。例えば、Ｒ４０７Ｃ等の非共沸混合冷媒、Ｒ４１０Ａ等の擬似共沸混合冷媒、又はＲ２２等の単一冷媒等を使用してもよい。二酸化炭素や炭化水素等の自然冷媒を使用してもよい。テトラフルオロプロペンを主成分とする冷媒等、フロン冷媒（Ｒ４０７ＣやＲ４１０Ａ等）よりも地球温暖化係数が小さい冷媒を使用してもよい。熱源側冷媒として、自然冷媒又は地球温暖化係数がフロン冷媒よりも小さい冷媒を使用することにより、冷媒漏洩による地球の温室効果を抑制できる効果がある。特に、二酸化炭素は高圧側が超臨界状態で凝縮せずに熱交換を行うため、中間熱交換器２５１〜２５３において水と二酸化炭素が対向流形式で熱交換させるように構成することにより、水を加熱する際の熱交換性能を向上することができる。【００３６】
また、本実施の形態１では利用側冷媒として水が使用されているが、不凍液、水と不凍液の混合液、又は水と防食効果が高い添加剤の混合液等を用いてもよい。この構成によれば、低い外気温度でも凍結や腐食による冷媒漏れを防止でき、高い信頼性を得られる。【００３７】
また、本実施の形態１では、冷房運転モード及び暖房運転モードを行うために圧縮機１１の吐出側に四方弁１２を設けたが、いずれか一方の運転モードだけでよい場合には四方弁１２を設けなくとも本発明は実施可能である。【００３８】
以上、本発明の具体的実施の形態について説明したが、これらに限定せず、本発明の範疇および精神を逸脱することなく、さまざまに変形または変更可能である。例えば、室外ユニット１０に設けられた四方弁１２の代わりに２台の三方切替弁を設けた形態でもよい。【００３９】
また、本発明において、室外ユニット１０及び室内ユニット３０ｎの「ユニット」は、必ずしも全ての構成要素が同一のハウジング内またはハウジング外壁に設けられることを意味するものではない。例えば、中継部２０のハウジングとは別の箇所に冷媒流量制御装置２２及びポンプ２３を配置しても、かかる構成は本発明の範囲内に含まれる。また、室外ユニット１０中に室外熱交換器１３や圧縮機１１からなるセットを複数設け、各セットから流出する熱源側冷媒を合流させて中継部２０に流入させるようにしてもよい。【００４０】
なお、上記実施の形態では、凝縮しながら放熱する冷媒を熱源側冷媒として充填する形態について説明したが、熱源側冷媒回路Ａに二酸化炭素など超臨界状態で放熱する冷媒を充填する場合は、凝縮器は放熱器として動作し、冷媒は凝縮せずに放熱しながら温度低下する。【００４１】
実施の形態２．
実施の形態１では利用側冷媒回路Ｂを流れる水の流量を制御していなかったが、利用側冷媒回路Ｂを流れる水の流量を制御するように利用側冷媒回路Ｂを構成してもよい。【００４２】
図６は、本発明の実施の形態２における空気調和装置の冷媒回路図である。空気調和装置１には、実施の形態１に示した空気調和装置１の利用側冷媒回路Ｂに、第１水流量制御部５０及び第２水流量制御部６０１〜６０４が設けられている。【００４３】
第１水流量制御部５０は、中間熱交換器流入水温度センサ５１、中間熱交換器流出水温度センサ５２及びインバータ５３から構成されている。ここで、インバータ５３が本発明の中間熱交換器冷媒流量制御装置に相当する。【００４４】
中間熱交換器流入水温度センサ５１は中間熱交換器２１の流入側配管（中継部側）に設けられており、中間熱交換器２１に流入する水の温度を検出する。中間熱交換器流出水温度センサ５２は中間熱交換器２１の流出側配管（中継部側）に設けられており、中間熱交換器２１から流出する水の温度を検出する。インバータ５３はポンプ２３に設けられており、中間熱交換器２１を流れる水の流量を調整する。【００４５】
なお、本実施の形態２では、ポンプ２３の吸入側に中間熱交換器流出水温度センサ５２が設けられているが、ポンプ２３の吐出側に中間熱交換器流出水温度センサ５２が設けられていてもよい。つまり、中間熱交換器流出水温度センサ５２は、中間熱交換器２１から流出する水の温度を検出できればよい。【００４６】
第２水流量制御部６０１〜６０４は、室内熱交換器流入水温度センサ６１１〜６１４、室内熱交換器流出水温度センサ６２１〜６２４及び水流量制御弁６３１〜６３４から構成されている。ここで、水流量制御弁６３１〜６３４が本発明の室内ユニット冷媒流量制御装置に相当する。【００４７】
室内熱交換器流入水温度センサ６１１〜６１４は、室内熱交換器３１１〜３１４のそれぞれの流入側配管（中継部側）に設けられており、室内熱交換器３１１〜３１４のそれぞれに流入する水の温度を検出する。室内熱交換器流出水温度センサ６２１〜６２４は、室内熱交換器３１１〜３１４のそれぞれの流出側配管（中継部側）に設けられており、室内熱交換器３１１〜３１４のそれぞれから流出する水の温度を検出する。水流量制御弁６３１〜６３４は、室内熱交換器３１１〜３１４のそれぞれの流入側配管（中継部側）に設けられており、室内熱交換器３１１〜３１４のそれぞれを流れる水の流量を調整する。【００４８】
（運転動作）
第１水流量制御部５０及び第２水流量制御部６０１〜６０４の運転動作の一例について説明する。なお、第２水流量制御部６０１〜６０４の運転動作は同じであるので、以下、第２水流量制御部６０１を用いて運転動作の説明をする。【００４９】
始めに、第１水流量制御部５０の運転動作の一例について説明する。
室内ユニット３０１〜３０４のいずれかが運転を開始すると、中間熱交換器流入水温度センサ５１は、中間熱交換器２１に流入する水の温度（以下、Ｔ１という）を検出する。
中間熱交換器流出水温度センサ５２は、中間熱交換器２１から流出した水の温度（以下、Ｔ２という）を検出する。インバータ５３は、Ｔ１及びＴ２の値に基づきポンプ２３の吐出量（中間熱交換器２１を流れる水の流量）を調整する。【００５０】
（冷房運転）
まず、空気調和装置１が冷房運転モードの場合について説明する。
中間熱交換器流入水温度センサ５１の検出値Ｔ１が所定温度Ｔ３よりも高い場合、水と熱源側冷媒の熱交換量を増すため、インバータ５３はポンプ２３の吐出量（中間熱交換器２１を流れる水の流量）を多くする。中間熱交換器流入水温度センサ５１の検出値Ｔ１が所定温度Ｔ３よりも低い場合、水と熱源側冷媒との過剰な熱交換を抑制するため、インバータ５３はポンプ２３の吐出量（中間熱交換器２１を流れる水の流量）を少なくする。
ここで、所定温度Ｔ３は、例えば、室内ユニット３０１〜３０４の稼働台数や室内ユニット３０１〜３０４の設定温度、空気調和装置１に予め設定されている温度、これらの温度情報をもとに算出した値（例えば差温等）、室内ユニット３０１〜３０４に設けられたファン（図示せず）の風量、又はこれらの温度とファンの風量とから算出した補正温度等によって定まる値である。【００５１】
また、中間熱交換器流出水温度センサ５２の検出値Ｔ２が所定温度Ｔ４よりも高い場合、水と熱源側冷媒の熱交換量を増すため、インバータ５３はポンプ２３の吐出量（中間熱交換器２１を流れる水の流量）を多くする。中間熱交換器流出水温度センサ５２の検出値Ｔ２が所定温度Ｔ４よりも低い場合、水と熱源側冷媒との過剰な熱交換を抑制するため、インバータ５３はポンプ２３の吐出量（中間熱交換器２１を流れる水の流量）を少なくする。
ここで、所定温度Ｔ４は、例えば、室内ユニット３０１〜３０４の稼働台数や室内ユニット３０１〜３０４の設定温度、空気調和装置１に予め設定されている温度、これらの温度情報をもとに算出した値（例えば差温等）、室内ユニット３０１〜３０４に設けられたファン（図示せず）の風量、又はこれらの温度とファンの風量とから算出した補正温度等によって定まる値である。【００５２】
（暖房運転）
続いて、空気調和装置１が暖房運転モードの場合について説明する。
中間熱交換器流入水温度センサ５１の検出値Ｔ１が所定温度Ｔ５よりも低い場合、水と熱源側冷媒の熱交換量を増すため、インバータ５３はポンプ２３の吐出量（中間熱交換器２１を流れる水の流量）を多くする。中間熱交換器流入水温度センサ５１の検出値Ｔ１が所定温度Ｔ５よりも高い場合、水と熱源側冷媒との過剰な熱交換を抑制するため、インバータ５３はポンプ２３の吐出量（中間熱交換器２１を流れる水の流量）を少なくする。
ここで、所定温度Ｔ５は、例えば、室内ユニット３０１〜３０４の稼働台数や室内ユニット３０１〜３０４の設定温度、空気調和装置１に予め設定されている温度、これらの温度情報をもとに算出した値（例えば差温等）、室内ユニット３０１〜３０４に設けられたファン（図示せず）の風量、又はこれらの温度とファンの風量とから算出した補正温度等によって定まる値である。【００５３】
また、中間熱交換器流出水温度センサ５２の検出値Ｔ２が所定温度Ｔ６よりも低い場合、水と熱源側冷媒の熱交換量を増すため、インバータ５３はポンプ２３の吐出量（中間熱交換器２１を流れる水の流量）を多くする。中間熱交換器流出水温度センサ５２の検出値Ｔ２が所定温度Ｔ６よりも高い場合、水と熱源側冷媒との過剰な熱交換を抑制するため、インバータ５３はポンプ２３の吐出量（中間熱交換器２１を流れる水の流量）を少なくする。
ここで、所定温度Ｔ６は、例えば、室内ユニット３０１〜３０４の稼働台数や室内ユニット３０１〜３０４の設定温度、空気調和装置１に予め設定されている温度、これらの温度情報をもとに算出した値（例えば差温等）、室内ユニット３０１〜３０４に設けられたファン（図示せず）の風量、又はこれらの温度とファンの風量とから算出した補正温度等によって定まる値である。【００５４】
なお、本実施の形態２では、インバータ５３は検出値Ｔ１及び検出値Ｔ２の双方を用いてポンプ２３の吐出量（中間熱交換器２１を流れる水の流量）を調整したが、検出値Ｔ１及び検出値Ｔ２の一方を用いてポンプ２３の吐出量（中間熱交換器２１を流れる水の流量）を調整してもよい。検出値Ｔ１及び検出値Ｔ２を用いず、室内ユニット３０１〜３０４の稼働台数や室内ユニット３０１〜３０４の設定温度、室内ユニット３０１〜３０４に設けられたファン（図示せず）の風量等に基づいてポンプ２３の吐出量（中間熱交換器２１を流れる水の流量）を調整してもよい。また、中間熱交換器流入水温度センサ５１及び中間熱交換器流出水温度センサ５２のかわりに、圧力センサを設け、ポンプ２３の出入口の圧力差等に応じて利用側冷媒回路Ｂ１に流れる水の流量を調整しても同様の効果が得られる。【００５５】
このように構成された空気調和装置１においては、室内ユニット３０１〜３０４の熱負荷に応じて中間熱交換器２１に流れる水の流量を制御でき、ポンプ２３の動力を低減できる。【００５６】
なお、本実施の形態２では中間熱交換器冷媒流量制御装置としてインバータ５３を用いたが他の構成を用いてもよい。例えば、中間熱交換器２１の冷媒流入側配管と冷媒流出側配管とを接続するバイパス配管を設けてもよい。このバイパス配管に流量制御弁等を設けてバイパス配管の冷媒流量を制御することにより、中間熱交換器２１に流入する利用側冷媒の流量を調整できる。また、例えば、ポンプ２３を複数のポンプで構成し、ポンプの稼働台数によって中間熱交換器２１に流れる水の流量を調整してもよい。【００５７】
次に、第２水流量制御部６０１の運転動作の一例について説明する。
室内ユニット３０１が運転を開始すると、室内熱交換器流入水温度センサ６１１は、室内熱交換器３１１に流入する水の温度（以下、Ｔ７という）を検出する。室内熱交換器流出水温度センサ６２１は、室内熱交換器３１１から流出した水の温度（以下、Ｔ８という）を検出する。水流量制御弁６３１は、Ｔ７及びＴ８の値に基づき室内熱交換器３１１を流れる水の流量を調整する。【００５８】
（冷房運転）
まず、室内ユニット３０１が冷房運転の場合について説明する。
室内熱交換器流入水温度センサ６１１の検出値Ｔ７が所定温度Ｔ９よりも高い場合、水と室内空気の熱交換量を増すため、水流量制御弁６３１は室内熱交換器３１１に流れる水の流量を多くする。室内熱交換器流入水温度センサ６１１の検出値Ｔ７が所定温度Ｔ９よりも低い場合、水と室内空気との過剰な熱交換を抑制するため、水流量制御弁６３１は室内熱交換器３１１に流れる水の流量を少なくする。
ここで、所定温度Ｔ９は、例えば、室内ユニット３０１の設定温度、空気調和装置１に予め設定されている温度、これらの温度情報をもとに算出した値（例えば差温等）、室内ユニット３０１に設けられたファン（図示せず）の風量、又はこれらの温度とファンの風量とから算出した補正温度等によって定まる値である。【００５９】
また、室内熱交換器流出水温度センサ６２１の検出値Ｔ８が所定温度Ｔ１０よりも高い場合、水と室内空気の熱交換量を増すため、水流量制御弁６３１は室内熱交換器３１１に流れる水の流量を多くする。室内熱交換器流出水温度センサ６２１の検出値Ｔ８が所定温度Ｔ１０よりも低い場合、水と室内空気との過剰な熱交換を抑制するため、水流量制御弁６３１は室内熱交換器３１１に流れる水の流量を少なくする。
ここで、所定温度Ｔ１０は、例えば、室内ユニット３０１の設定温度、空気調和装置１に予め設定されている温度、これらの温度情報をもとに算出した値（例えば差温等）、室内ユニット３０１に設けられたファン（図示せず）の風量、又はこれらの温度とファンの風量とから算出した補正温度等によって定まる値である。【００６０】
（暖房運転）
続いて、室内ユニット３０１が暖房運転の場合について説明する。
室内熱交換器流入水温度センサ６１１の検出値Ｔ７が所定温度Ｔ１１よりも低い場合、水と室内空気の熱交換量を増すため、水流量制御弁６３１は室内熱交換器３１１に流れる水の流量を多くする。室内熱交換器流入水温度センサ６１１の検出値Ｔ７が所定温度Ｔ１１よりも高い場合、水と室内空気との過剰な熱交換を抑制するため、水流量制御弁６３１は室内熱交換器３１１に流れる水の流量を少なくする。
ここで、所定温度Ｔ１１は、例えば、室内ユニット３０１の設定温度、空気調和装置１に予め設定されている温度、これらの温度情報をもとに算出した値（例えば差温等）、室内ユニット３０１に設けられたファン（図示せず）の風量、又はこれらの温度とファンの風量とから算出した補正温度等によって定まる値である。【００６１】
また、室内熱交換器流出水温度センサ６２１の検出値Ｔ８が所定温度Ｔ１２よりも低い場合、水と室内空気の熱交換量を増すため、水流量制御弁６３１は室内熱交換器３１１に流れる水の流量を多くする。室内熱交換器流出水温度センサ６２１の検出値Ｔ８が所定温度Ｔ１２よりも高い場合、水と室内空気との過剰な熱交換を抑制するため、水流量制御弁６３１は室内熱交換器３１１に流れる水の流量を少なくする。
ここで、所定温度Ｔ１２は、例えば、室内ユニット３０１の設定温度、空気調和装置１に予め設定されている温度、これらの温度情報をもとに算出した値（例えば差温等）、室内ユニット３０１に設けられたファン（図示せず）の風量、又はこれらの温度とファンの風量とから算出した補正温度等によって定まる値である。【００６２】
なお、本実施の形態２では、水流量制御弁６３１は検出値Ｔ７及び検出値Ｔ８の双方を用いて室内熱交換器３１１に流れる水の流量を調整したが、検出値Ｔ７及び検出値Ｔ８の一方を用いて室内熱交換器３１１に流れる水の流量を調整してもよい。検出値Ｔ７及び検出値Ｔ８を用いず、室内ユニット３０１の設定温度、室内ユニット３０１に設けられたファン（図示せず）の風量等に基づいて利用側冷媒回路Ｂ１に流れる水の流量を調整してもよい。【００６３】
このように構成された空気調和装置１においては、室内ユニット３０１〜３０４の熱負荷に応じて水の流量を制御でき、ポンプ２３の動力を低減できる。【００６４】
また、従来の多室形空気調和装置と異なり、室内ユニット３０１〜３０４に冷媒流量制御装置（例えば特許文献１における室内膨張弁）を設ける必要がない。このため、室内ユニットからの騒音を低減できる。【００６５】
また、従来の多室形空気調和装置では、室内熱交換器に流入する冷媒の温度と室外熱交換器から流出した冷媒の温度を検出し、これら温度に基づいて冷媒流量制御装置の絞り量を制御して、室内温度を調整していた。このため、室内温度を調整するために、室外ユニットと中継部との通信に加えて、中継部と室内ユニットの通信も行わなければならなかった。しかし、本実施の形態２の空気調和装置は、中継部２０に設けられた室内熱交換器流入水温度センサ６１１〜６１４及び室内熱交換器流出水温度センサ６２１〜６２４の検出値（Ｔ７及びＴ８）に基づいて室内ユニット３０１〜３０４に流れる水の流量を制御し、室内の温度調節を行えばよい。したがって、室内の温度調整をするために中継部２０と室内ユニット３０１〜３０４との通信は必要なく、空気調和装置１の制御が簡略化できる。【００６６】
以上、実施の形態１及び実施の形態２においては、水中のごみを捕捉するストレーナ、水の膨張による配管破損を防止するための膨張タンク、ポンプ２３の吐出圧力を調整するための定圧弁等を利用側冷媒回路Ｂに設けていないが、これらのようなポンプ２３の弁詰まり等を防止する補機を備えてもよい。【００６７】
実施の形態３．
本実施の形態３においては、実施の形態１及び実施の形態２に示した空気調和装置１のビルへの設置方法の一例を示す。【００６８】
図７は、本実施の形態３における空気調和装置の設置概略図である。室外ユニット１０はビル１００の屋上に設置されている。ビル１００の１階に設けられた共用空間１２１には、中継部２０が設置されている。そして、ビル１００の１階に設けられた居住空間１１１には４台の室内ユニット３０１〜３０４が設置されている。また同様に、ビル１００の２階及び３階にも、共用空間１２２及び１２３に中継部２０が設置され、居住空間１１２及び１１３には４台の室内ユニット３０１〜３０４が設置されている。ここで、共用空間１２ｎとは、ビル１００の各階に設けられた機械室、共用廊下、及びロビー等をいう。つまり、共用空間１２ｎとは、ビル１００の各階に設けられた居住空間１１ｎ以外の空間をいう。【００６９】
各階の共用空間に設置された中継部２０は、配管設置空間１３０に設けられた第１延長配管４１及び第２延長配管４２によって室外ユニット１０と接続されている。また、各階の居住空間に設置された室内ユニット３０１〜３０４は、それぞれ各階の共用空間に設置された中継部２０と第３延長配管４３１〜４３４及び第４延長配管４４１〜４４４によって接続されている。【００７０】
このように構成された空気調和装置１においては、居住空間１１１〜１１３に設置された配管には水が流れるので、空間中に漏洩する冷媒の許容濃度が規制された冷媒が居住空間１１１〜１１３に漏洩することを防止できる。【００７１】
また、１つの中継部２０に室内ユニット３０１〜３０４が接続されているので、つまり、各室内ユニット３０１〜３０４の中継部を集約しているので、ポンプ２３等のメンテナンス等が容易となる。また、利用側冷媒回路Ｂには水が用いられ、空間中に漏洩する冷媒の許容濃度が規制された冷媒が流れていないので、中継部２０を室内ユニット３０１〜３０４の近傍に設置する必要がなく、任意の場所に設置することができる。【００７２】
また、中継部２０と室内ユニット３０１〜３０４は分離可能な構造となっているので、従来から水冷媒を用いていた設備に換えて空気調和装置１を設置する際、室内ユニット３０１〜３０４、第３延長配管４３１〜４３３及び第４延長配管４４１〜４４３を再利用することができる。【００７３】
なお、室外ユニット１０は必ずしもビル１００の屋上に設置される必要はなく、例えば地下や、各階の機械室等でもよい。
【図１】
2009133643.tif 000003
【図２】
2009133643.tif 000004
【図３】
2009133643.tif 000005
【図４】
2009133643.tif 000006
【図５】
2009133643.tif 000007
【図６】
2009133643.tif 000008
【図７】
2009133643.tif 000009
【手続補正書】
【提出日】平成22年10月6日(2010.10.6)
【手続補正１】
【補正対象書類名】特許請求の範囲
【補正対象項目名】全文
【補正方法】変更
【補正の内容】
【特許請求の範囲】
【請求項１】
圧縮機、室外熱交換器、冷媒流量制御装置及び中間熱交換器が順次接続される熱源側冷媒回路と、
前記中間熱交換器の前記熱源側冷媒回路との間で熱交換を行う利用側回路の一端に接続された循環装置、及び、一端が前記循環装置に接続され、他端が前記中間熱交換器の前記利用側回路の他端に接続された複数の室内熱交換器を有する利用側冷媒回路と、
を備え、
前記圧縮機及び前記室外熱交換器は室外ユニットに設けられ、
前記冷媒流量制御装置、前記中間熱交換器及び前記循環装置は中継部に設けられ、
前記室内熱交換器は室内ユニットに設けられ、
前記利用側冷媒回路には、利用側冷媒として水及び不凍液の少なくとも一方が循環することを特徴とする空気調和装置。
【請求項２】
前記室外ユニットには、
前記圧縮機の吐出側に設けられ、前記熱源側冷媒回路を、前記圧縮機が吐出する熱源側冷媒が前記中間熱交換器に流入し前記室外熱交換器から流出する回路と、前記圧縮機が吐出する熱源側冷媒が前記室外熱交換器に流入し前記中間熱交換器から流出する回路とに切り替える第２冷媒流路切替装置が設けられていることを特徴とする請求項１に記載の空気調和装置。
【請求項３】
前記利用側冷媒回路には、
前記室内熱交換器に流れる前記利用側冷媒の流量を前記室内熱交換器ごとに制御する室内ユニット冷媒流量制御装置が設けられていることを特徴とする請求項１又は請求項２に記載の空気調和装置。
【請求項４】
前記室内ユニット冷媒流量制御装置は、
前記室内熱交換器に流入する前記利用側冷媒の温度、及び前記室内熱交換器から流出する前記利用側冷媒の温度に基づいて、前記室内熱交換器に流れる前記利用側冷媒の流量を制御することを特徴とする請求項３に記載の空気調和装置。
【請求項５】
前記室内ユニット冷媒流量制御装置は、前記中継部に設けられていることを特徴とする請求項３又は請求項４に記載の空気調和装置。
【請求項６】
前記利用側冷媒回路には、
前記中間熱交換器に流れる前記利用側冷媒の流量を制御する中間熱交換器冷媒流量制御装置が設けられていることを特徴とする請求項１に記載の空気調和装置。
【請求項７】
前記中間熱交換器冷媒流量制御装置は、
前記中間熱交換器に流入する前記利用側冷媒の温度、及び前記中間熱交換器から流出する前記利用側冷媒の温度に基づいて、前記中間熱交換器に流れる前記利用側冷媒の流量を制御することを特徴とする請求項６に記載の空気調和装置。
【請求項８】
前記中継部と前記室内ユニットとは、
前記循環装置と前記室内熱交換器とを接続する配管、及び前記室内熱交換器と前記中間熱交換器とを接続する連結装置によって分離可能となっていることを特徴とする請求項１に記載の空気調和装置。
【請求項９】
前記熱源側冷媒回路を循環する熱源側冷媒は、自然冷媒又は地球温暖化係数がフロン冷媒よりも小さい冷媒であることを特徴とする請求項１に記載の空気調和装置。
【請求項１０】
前記中間熱交換器において、
前記熱源側冷媒回路を循環する熱源側冷媒は、超臨界状態で凝縮することなく、前記第２冷媒を加熱することを特徴とする請求項１に記載の空気調和装置。
【請求項１１】
前記室内ユニットはビルの各階に設けられた室内に設置され、前記室外ユニット及び前記中継部は室外に設置されることを特徴とする請求項１に記載の空気調和装置。
【請求項１２】
前記中継部は、前記ビルの各階に設けられた共用空間に設置されることを特徴とする請求項１１に記載の空気調和装置。
【請求項１３】
前記熱源側冷媒は、空間中に漏洩する冷媒の許容濃度が国際規格で決められた冷媒であり、前記利用側冷媒に水及び不凍液の少なくとも一方が用いられ、前記室内ユニットは居住空間に設置され、前記室外ユニット及び前記中継部は前記居住空間の外に設置され、各室内ユニットと前記中継器は２本の配管で接続された多室形の請求項１〜１２のいずれか一項に記載の空気調和装置。
【国際調査報告】
2009133643.tif 000010
2009133643.tif 000011
2009133643.tif 000012
2009133643.tif 000013